(57)【要約】【課題】  作業が容易確実で効率が良く、取り扱いも至便な、タインホルダーのロックピン固定構造を提供せんとする。【解決手段】  タインホルダー１に、複数のタインを下設するための軸部６を挿通する上下方向への取付孔２を縦横に整然と設ける。この取付孔２を横切ってタインを固定するロックピン７の挿入孔３を横方向へ複数設ける。押さえ板８の止め具挿入孔９に止め具１０を挿入して、ロックピン７の頭部７Ａが突合したタインホルダー１の側面１Ａのネジ穴５、５に螺入して固定した押さえ板８で、ロックピン７の頭部７Ａを当止して脱落を防止する。【選択図】図１
2011155863.tif 000002
【特許請求の範囲】
【請求項１】
タインホルダーに、複数のタインを下設するための軸部を挿通する上下方向への取付孔を縦横に整然と設けると共に、この取付孔を横切ってタインを固定するロックピンの挿入孔を横方向へ複数設けたタインホルダーと、止め具挿入孔を有する押さえ板より成り、押さえ板の止め具挿入孔に止め具を挿入して、ロックピンの頭部が突合したタインホルダーの側面へ対面固定し、押さえ板でロックピンの頭部を当止して脱落を防止することを特徴とするタインホルダーのロックピン固定構造。
【請求項２】
押さえ板の止め具挿入孔に止めネジを挿入し、ロックピンの頭部が突合したタインホルダーの対応側面に設けた螺子穴に螺着することを特徴とする請求項１記載のタインホルダーのロックピン固定構造。
【請求項３】
押さえ板のタインホルダー側の面にロックピンの頭部厚と同等厚以上の突起部を設けたことを特徴とする請求項１又は２記載のタインホルダーのロックピン固定構造。
【請求項４】
突起部に止め具挿入孔を形成したことを特徴とする請求項３記載のタインホルダーのロックピン固定構造。
【請求項５】
一枚の押さえ板で、タインホルダーに固定する全てのロックピンの頭部を当止することを特徴とする請求項１乃至４のいずれかに記載のタインホルダーのロックピン固定構造。
【発明の詳細な説明】
【技術分野】
【０００１】
本発明は、例えばゴルフ場や公園などの芝面の土壌改良を目的とし、芝の育成を図るための土壌改良用エアレーション装置において、部材の一つとして用いるタインホルダーのロックピン固定構造に関するものである。
【背景技術】
【０００２】
土壌改良用のエアレーション装置は、例えば自走式の装置本体の後部に、上下方向に往復運動する多数本のタインを装着し、タインを芝面の土中に突き刺すことにより、多数の細穴を芝面に形成するものである。
この芝面に形成される細穴は、雨水や空気を土中に浸透させるほか、施肥用の穴としても利用されるものである。
【０００３】
細穴を形成するタインは、一般にパイプ材の先端部を肉薄にして円形の刃先を形成した棒体状又はパイプ状の刃物で、土をタインの外径や内径にしたがって、円柱状に押し拡げたり、円筒状のコアとして地上に掘り上げるものである。
そして、このタインは装置本体のタインホルダーに取り付けられている。
【０００４】
従来、タインの取り付け方法は、一般的には、タインホルダーの取付凹部にタイン上部の取付軸を挿入して横方向からボルトを用いて螺入し、１本ずつ取り付け固定しているのである。
【０００５】
そこで、作業効率を良くするため、タイン上部の取付軸や、パイプ状のサイドオープンタイン本体を被嵌挿着したホールドピンの取付軸を、タインホルダーの取付孔に挿入し、次に、この取付孔を横切って設けられたロックピンの挿入孔と、タインの取付軸に有する固定用孔と対応して形成される連通孔に、ロックピンを挿入してタインをタインホルダーに固定し、更に、このロックピンの貫通した先端部に脱却防止用のスプリングピン（スナップピン）を着脱自在に差し込み係止することも提案されている。
【先行技術文献】
【特許文献】
【０００６】
【特許文献１】特開平０７−６７４０５号公報
【特許文献２】特開平１１−１８７７０４号公報
【特許文献３】特開２０００−６０２１４号公報
【発明の概要】
【発明が解決しようとする課題】
【０００７】
芝面の土壌改良をし、芝の育成を図るための土壌改良用エアレーション装置は高価な機械であり、深度作業のみでなくきめの細かいエアレーションの形成にも用いることが出来るように、縦横にピッチの狭い設定のタインの装着が可能なタインホルダーが提案されている。
例えば、縦横のピッチが３０ミリメートルで一枚に１２本のタインを装着するものがあり、前後に６本ずつのタインを配置してある。
【０００８】
このような多数のタインを装着するタインホルダーでは、交換・取付作業の効率化を図るため、前後のタインを挿入した一つのロックピンでタインホルダーへ同時に固定し、ロックピンの貫通した先端部にスプリングピン（スナップピン）を差し込んで係止している。
しかし、スプリングピンは小さな部品であるため、取り扱いに神経を使うと共に、作業中に落として紛失したり、或いは嵌入し難く、ピンが外れることもあるのである。
【０００９】
そこで、本発明は作業が容易確実で効率が良く、取り扱いも至便な、タインホルダーのロックピン固定構造を提供せんとするものである。
【課題を解決するための手段】
【００１０】
本発明の請求項１のタインホルダーのロックピン固定構造は、タインホルダーに、複数のタインを下設するための軸部を挿通する上下方向への取付孔を縦横に整然と設けると共に、この取付孔を横切ってタインを固定するロックピンの挿入孔を横方向へ複数設けたタインホルダーと、止め具挿入孔を有する押さえ板より成り、押さえ板の止め具挿入孔に止め具を挿入して、ロックピンの頭部が突合したタインホルダーの側面へ対面固定し、押さえ板でロックピンの頭部を当止して脱落を防止することを特徴とするものである。
【００１１】
請求項２のタインホルダーのロックピン固定構造は、請求項１において、押さえ板の止め具挿入孔に止めネジを挿入し、ロックピンの頭部が突合したタインホルダーの対応側面に設けた螺子穴に螺着することを特徴とするものである。
【００１２】
請求項３のタインホルダーのロックピン固定構造は、請求項１又は２において、押さえ板のタインホルダー側の面にロックピンの頭部厚と同等厚以上の突起部を設けたことを特徴とするものである。
【００１３】
請求項４のタインホルダーのロックピン固定構造は、請求項３において、突起部に止め具挿入孔を形成したことを特徴とするものである。
【００１４】
請求項５のタインホルダーのロックピン固定構造は、請求項１乃至４のいずれかにおいて、一枚の押さえ板で、タインホルダーに固定する全てのロックピンの頭部を当止することを特徴とするものである。
【発明の効果】
【００１５】
本発明の請求項１のタインホルダーのロックピン固定構造は、タインホルダーに、複数のタインを下設するための軸部を挿通する上下方向への取付孔を縦横に整然と設けると共に、この取付孔を横切ってタインを固定するロックピンの挿入孔を横方向へ複数設けたタインホルダーと、止め具挿入孔を有する押さえ板より成り、押さえ板の止め具挿入孔に止め具を挿入して、ロックピンの頭部が突合したタインホルダーの側面へ押さえ板を対面固定し、押さえ板でロックピンの頭部を当止して脱落を防止するものであるから、押さえ板で一時に複数のロックピンの固定作業が容易確実で効率が良く行える効果を有するのである。
【００１６】
請求項２のタインホルダーのロックピン固定構造は、請求項１において、押さえ板の止め具挿入孔に止めネジを挿入し、ロックピンの頭部が突合したタインホルダーの対応側面に設けた螺子穴に螺着するものであるから、極めて単純且つ容易な作業となる効果を有するものである。
【００１７】
請求項３のタインホルダーのロックピン固定構造は、請求項１又は２の効果に加え、押さえ板のタインホルダー側の面にロックピンの頭部厚と同等厚以上の突起部を設けたため、押さえ板をタインホルダー側面に固定することで自然とロックピンの頭部に当接して当止し、或いは抜けるのを阻止して脱落を防止するものであり、また、過度に止め具によって固着することを回避し、部品の損傷を防止し、被覆固定作業の迅速化に資する効果を有する。
【００１８】
請求項４のタインホルダーのロックピン固定構造は、突起部に止め具挿入孔を形成したため、請求項３の効果をより安定的に発揮するものとなる。
【００１９】
請求項５のタインホルダーのロックピン固定構造は、請求項１乃至４の各効果に加え、一枚の押さえ板で、タインホルダーに固定する全てのロックピンの頭部を当止するものであるから、一枚の押さえ板でタインホルダーの全てのロックピンを当止する効果を得られるものである。
【図面の簡単な説明】
【００２０】
【図１】本発明の固定構造の一実施の形態を示す平面図である。
【図２】本発明の固定構造のタインホルダーの一実施の形態を示す一部切り欠いた平面図である。
【図３】本発明の固定構造の押さえ板の一実施の形態を示すタインホルダー側となる背面図である。
【図４】本発明の固定構造の押さえ板の他の実施の形態を示す平面図である。
【発明を実施するための形態】
【００２１】
本発明の一実施の形態を図面に基づいて説明する。
図１は本発明の固定構造の一実施の形態を示す平面図、図２は固定構造のタインホルダーの一部切り欠いた平面図、図３は固定構造の押さえ板のタインホルダー側となる背面図であり、タインホルダー１、ロックピン７、押さえ板８及び止め具１０より構成されている。
【００２２】
タインホルダー１は厚みを有する平面が長四角形の板体で、上下面を貫通するタイン取付孔２、２、２・・・が前後の横方向に６個ずつ穿設してあり、この各前後のタイン取付孔２、２を横切ってロックピン挿入孔３、３・・・も前後面を貫通して穿設してある。
このタインホルダー１は、エアレーション装置の上下方向に往復運動する昇降腕部（図示せず。）へ装着用孔４、４を利用して装着する。
【００２３】
前記タイン取付孔２とロックピン挿入孔３を利用してタインをタインホルダー１に取り付けられる。
即ち、タイン上部の取付軸６又は、パイプ状のサイドオープンタインの場合は本体に嵌着したホールドピンの取付軸６を、タインホルダー１のタイン取付孔２に下方から挿入し、次いで、ロックピン挿入孔３と、タインの取付軸６に有する固定用孔とが対応して形成する連続する孔に、ロックピン７を一方のロックピン挿入孔３から挿入してタインをタインホルダー１に固定するものである。
【００２４】
また、ロックピン７を挿入した一方の側であって、ロックピン７の頭部７Ａが当止するタインホルダー１の面１Ａ（図面では前面）にはネジ穴５、５が、ロックピン挿入孔３及びロックピン７の頭部７Ａと干渉しない位置に設けてある。
【００２５】
一方、押さえ板８には止め具挿入孔９が設けられ、この止め具挿入孔９に摘みネジ（止め具）１０を挿入して、上記タインホルダー１の面１Ａのネジ穴５、５に螺入し、ロックピン７の頭部７Ａが突合したタインホルダー１の面１Ａと対面して固定することで、押さえ板８がロックピン７の頭部７Ａを当止して脱落を防止するものとなる。
【００２６】
押さえ板８には、止め具挿入孔９に連続する孔を形成して、押さえ板８のタインホルダー側に対面する面８Ａに、ロックピン７の頭部厚と同等厚に突起部１１をリブ状に設けてある。
突起部１０で、ロックピン７の頭部７Ａが突合したタインホルダー１の面１Ａと、ロックピン７の頭部厚と同等以上のスペースを空けて押さえ板８を対面して固定することで、自然とロックピン７の頭部７Ａに当接して当止し、或いは抜けるのを阻止して脱落を防止するものであり、また、過度に止め具１０によって固着することを回避し、部品損傷を防止し、固定作業の迅速化となる。
【００２７】
なお、止め具挿入孔９はネジ孔としてもよく、止め具１０は螺入用治具を使用して螺着する頭部形状であってもよい。
又、突起部１１は図４のように、止め具挿入孔９に関連付けて形成する必要は無く、止め具１０と干渉しない位置に配設することも自由であり、更に、押さえ板８はタインホルダー１に挿通してタインを固定するロックピン頭部７Ａと対面し、当接して抜け止め作用を奏する最小の大きさを有する形状のもので充分である。
【符号の説明】
【００２８】
１    タインホルダー
２    タイン取付孔
３    ロックピン挿入孔
５    ネジ穴
６    タインの取付軸
７    ロックピン
７Ａ  頭部
８    押さえ板
９    止め具挿入孔
１０  止め具
１１  突起部
【図１】
2011155863.tif 000003
【図２】
2011155863.tif 000004
【図３】
2011155863.tif 000005
【図４】
2011155863.tif 000006